(57)【要約】  【課題】  カバーを取り付けた後であっても、カバーの向きを容易に調節することができ、設置作業や調整作業の作業性を向上したドーム型カメラを提供する。  【解決手段】  ドーム型カメラ１は、カメラ２と、第１セレーション９を有する下ケース３と、上ケース４と、ドームカバー６と、第２セレーション２０を有するインナーカバー７とを備え、上ケース４は、調整位置とロック位置の２段階の取付け位置で、下ケース３に対して取付け可能である。上ケース４の取付け位置を調整位置とすると、第１セレーション９と第２セレーション２０とが不完全に係合して、下ケース３に対してインナーカバー７が回転自由とされ、上ケース４の取付け位置をロック位置とすると、第１セレーション９との第２セレーション２０とが完全に係合して、下ケース３に対してインナーカバー７が固定される。【選択図】  図１
2007110484.tif 000002
【特許請求の範囲】
【請求項１】
所定の撮影方向を撮影するカメラと、前記カメラが取り付けられる下ケースと、前記下ケースに取り付けられる上ケースと、前記上ケースと前記下ケースにより挟持され前記カメラを覆うカバーとを備え、
前記下ケースは、第１係合部を有し、
前記カバーは、前記第１係合部と係合する第２係合部および前記カメラの撮影視野を確保する窓部を有し、
前記上ケースは、前記下ケースに対して、調整位置とロック位置の２段階の取付け位置で取付け可能であり、
前記上ケースの取付け位置が前記調整位置のときには、前記下ケースの第１係合部と前記カバーの第２係合部とが不完全に係合して、前記下ケースに対して前記カバーが回動自由とされ、
前記上ケースの取付け位置が前記ロック位置のときには、前記下ケースの第１係合部と前記カバーの第２係合部とが完全に係合して、前記下ケースに対して前記カバーが固定されることを特徴とするドーム型カメラ。
【請求項２】
前記上ケースには、係止片が設けられ、
前記下ケースには、前記係止片が２段階に係止される２つの係止段部を有する２段係止溝が設けられており、
前記上ケースの係止片が、前記下ケースの２段係止溝の１段目の係止段部に係止されたときには、前記上ケースの取付け位置が、前記調整位置とされており、
前記上ケースの係止片が、前記下ケースの２段係止溝の２段目の係止段部に係止されたときには、前記上ケースの取付け位置が、前記ロック位置とされていることを特徴とする請求項１に記載のドーム型カメラ。
【請求項３】
前記カバーには、前記カバーを前記下ケースに向けて付勢する弾性部が設けられており、
前記上ケースの取付け位置が、前記調整位置とされたときに、前記下ケースの第１係合部と前記カバーの第２係合部とが、前記弾性部の付勢力で不完全に係合して、前記下ケースに対して前記カバーが回転自由とされるとともに、前記上ケースを前記下ケースに対して回転させたときに、前記カバーが前記上ケースに伴って回転するのが防止されることを特徴とする請求項１または請求項２に記載のドーム型カメラ。
【請求項４】
前記上ケースの取付け位置が、前記ロック位置とされたときに、前記上ケースを前記下ケースに固定する固定部材を備えたことを特徴とする請求項１ないし請求項３のいずれかに記載のドーム型カメラ。
【発明の詳細な説明】
【技術分野】
【０００１】
本発明は、設置作業や調整作業の作業性を向上したドーム型カメラに関するものである。
【背景技術】
【０００２】
ドーム型カメラは、例えば、施設の監視用に用いられ、施設の壁や天井などに設置される。このようなドーム型カメラは、所定の撮影方向を撮影するカメラと、カメラが取り付けられるシャーシ（ケース）と、シャーシに取り付けられカメラを覆うドーム型のカバーとを有している。そして、ドーム型のカバーには、カメラの撮影方向の視野を確保しつつ、他の部分は外部から見えないように保護するために、カメラの画角の分だけ切り欠いた窓部が設けられている。したがって、このようなドーム型カメラを、施設の天井や壁などに設置するときには、カメラの撮影方向とカバーの窓部の方向とを一致させる調整作業が必要となる。
【０００３】
従来、ドーム型カメラとして、シャーシとカバーの各々に、相互に一致する目盛りが表示されているものが知られている。そして、従来のドーム型カメラでは、施設の天井や壁などに設置する際に、シャーシの目盛りとカバーの目盛りを合わせることにより、カメラの撮影方向とカバーの窓部の方向とを一致させる（例えば特許文献１参照）。
【特許文献１】特開２００４−３５６６６９号公報（第４−１０頁、第２図）
【発明の開示】
【発明が解決しようとする課題】
【０００４】
しかしながら、従来のドーム型カメラにおいては、施設の天井や壁などにドーム型カメラを設置するときに、カバーをシャーシに取り付ける前に予めシャーシの目盛りとカバーの目盛りとを合わせておく必要がある。そして、一旦、カバーをシャーシに取り付けて、ドーム型カメラの設置が完了した後で、カバーの窓部の向きをカメラの撮影方向に合わせなおす必要が生じた場合（例えば、作業者が目盛りを読み間違えた場合や、地震や悪戯などの外力によりカバーの向きが変えられてしまった場合）には、もう一度、カバーをシャーシから取り外して、シャーシの目盛りとカバーの目盛りとを合わせなければならない。したがって、カバーの窓部の向きを再調整する場合に、手間と労力を要するという問題があった。
【０００５】
本発明は、上記従来の問題を解決するためになされたもので、カバーを取り付けた後であっても、カバーの向きを容易にカメラの撮影方向に合わせることのできるドーム型カメラを提供することを目的とする。
【課題を解決するための手段】
【０００６】
本発明のドーム型カメラは、所定の撮影方向を撮影するカメラと、前記カメラが取り付けられる下ケースと、前記下ケースに取り付けられる上ケースと、前記上ケースと前記下ケースにより挟持され前記カメラを覆うカバーとを備え、前記下ケースは、第１係合部を有し、前記カバーは、前記第１係合部と係合する第２係合部および前記カメラの撮影視野を確保する窓部を有し、前記上ケースは、前記下ケースに対して、調整位置とロック位置の２段階の取付け位置で取付け可能であり、前記上ケースの取付け位置が前記調整位置のときには、前記下ケースの第１係合部と前記カバーの第２係合部とが不完全に係合して、前記下ケースに対して前記カバーが回動自由とされ、前記上ケースの取付け位置が前記ロック位置のときには、前記下ケースの第１係合部と前記カバーの第２係合部とが完全に係合して、前記下ケースに対して前記カバーが固定される構成を有している。
【０００７】
この構成により、上ケースの取付け位置を調整位置にしたときには、下ケースの第１係合部とカバーの第２係合部が完全には係合しておらず、カバーを下ケースに対して自由に回転させて、カバーの向きを容易に調節することができる。これにより、カバーを取り付けた後であっても、カバーの窓部の向きをカメラの撮影方向に容易に合わせることができる。そして、カバーの向きの調整を行った後、上ケースの取付け位置をロック位置にすることにより、下ケースの第１係合部とカバーの第２係合部が完全に係合して、下ケースに対してカバーを容易に固定することができる。
【０００８】
また、本発明のドーム型カメラは、前記上ケースには、係止片が設けられ、前記下ケースには、前記係止片が２段階に係止される２つの係止段部を有する２段係止溝が設けられており、前記上ケースの係止片が、前記下ケースの２段係止溝の１段目の係止段部に係止されたときには、前記上ケースの取付け位置が、前記調整位置とされており、前記上ケースの係止片が、前記下ケースの２段係止溝の２段目の係止段部に係止されたときには、前記上ケースの取付け位置が、前記ロック位置とされている構成を有している。
【０００９】
この構成により、上ケースの係止片を下ケースの１段目の係止段部に係止したときには、上ケースの取付け位置は調節位置となる。すなわち、下ケースの第１係合部とカバーの第２係合部が完全には係合しておらず、カバーを下ケースに対して自由に回転させて、カバーの向きを容易に調節することができる。これにより、カバーを取り付けた後であっても、カバーの窓部の向きをカメラの撮影方向に容易に合わせることができる。そして、カバーの向きの調整を行った後、上ケースの係止片を下ケースの２段目の係止段部に係止したときには、上ケースの取付け位置はロック位置となる。これにより、下ケースの第１係合部とカバーの第２係合部が完全に係合して、下ケースに対してカバーを容易に固定することができる。
【００１０】
また、本発明のドーム型カメラは、前記カバーには、前記カバーを前記下ケースに向けて付勢する弾性部が設けられており、前記上ケースの取付け位置が、前記調整位置とされたときに、前記下ケースの第１係合部と前記カバーの第２係合部とが、前記弾性部の付勢力で不完全に係合して、前記下ケースに対して前記カバーが回転自由とされるとともに、前記上ケースを前記下ケースに対して回転させたときに、前記カバーが前記上ケースに伴って回転するのが防止される構成を有している。
【００１１】
この構成により、上ケースの取付け位置を調整位置にしたときに、下ケースの第１係合部とカバーの第２係合部とが弾性部の付勢力によって不完全に係合する。これにより、上ケースの取付け位置を調整位置からロック位置にする際、上ケースを下ケースに対して回転させるときに、カバーが上ケースに伴って回転することが防止される。したがって、上ケースの取付け位置を調整位置からロック位置にするときに、調整位置で調整したカバーの窓部の向きが、カメラの撮影方向からずれるのが抑えられる。
【００１２】
また、本発明のドーム型カメラは、前記上ケースの取付け位置が、前記ロック位置とされたときに、前記上ケースを前記下ケースに固定する固定部材を備えた構成を有している。
【００１３】
この構成により、上ケースの取付け位置をロック位置にした後、固定部材を用いて上ケースと下ケースを固定する。これにより、上ケースの取付け位置がロック位置で固定され、その結果、カバーの回転も防止される。したがって、カバーの向きが外力によって変えられてしまうのを防止することができる。
【発明の効果】
【００１４】
本発明は、上ケースの下ケースに対する取付け位置として、調整位置とロック位置の２段階の取付け位置を設けることにより、カバーを取り付けた後であっても、カバーの向きを容易に調節することができ、設置作業や調整作業の作業性が向上するという効果を有するドーム型カメラを提供することができるものである。
【発明を実施するための最良の形態】
【００１５】
以下、本発明の実施の形態のドーム型カメラについて、図面を用いて説明する。本実施の形態では、例えば、施設の壁や天井に設置される監視用のドーム型カメラの場合を例示する。
【００１６】
本発明の実施の形態のドーム型カメラを図１〜図３に示す。図１は、本実施の形態のドーム型カメラの分解斜視図である。図１に示すように、ドーム型カメラ１は、所定の撮影方向を撮影するカメラ２と、カメラ２が取り付けられる下ケース３と、下ケース３に取り付けられる上ケース４と、カメラ２を覆うカバー５とを備えている。本実施の形態では、カバー５は、透明なプラスチック製のドームカバー６と、不透明なプラスチック製のインナーカバー７とから構成されている。なお、本実施の形態では、図１〜図３に示したドーム型カメラの向きを基準に上下方向を説明するが、例えばドーム型カメラを天井に設置した場合には、上下の向きが説明とは逆になり、すなわち、下ケース３が上になり、上ケース４が下になる。
【００１７】
下ケース３は上下２段の略円柱状をしており、下ケース３の上半部８には上ケース４が外嵌されて取り付けられる。下ケース３の上面の中央部にはカメラ２が取り付けられている。また、下ケース３の上面の周縁部には、第１セレーション９が環状に設けられている。この第１セレーション９は、本発明の第１係止部に相当する。そして、下ケース３の上半部８の外周面には、２つの係止段部１０、１１を有する２段係止溝１２が三箇所に形成されている。本実施の形態では、三つの２段係止溝１２は、それぞれ１２０度おきに形成されている。そして、２段係止溝１２の２つの係止段部１０、１１は、階段状に形成されており、１段目の係止段部１０と２段目の係止段部１１の高さ（上下方向の高さ）は異なる高さに設定されている。また、下ケース３の上半部８の外周面には、固定ねじ１３を螺着するためのねじ孔１４が一つ設けられている。
【００１８】
ドームカバー６はドーム形状をしている。また、ドームカバー６の下端部の外周には、フランジ１５が外側に向けて突出して設けられている。そして、ドームカバー６のフランジ１５の所定箇所には、３つの切欠き部１６がそれぞれ１２０度おきに設けられている。
【００１９】
インナーカバー７は、環状の基台部１７と、基台部１７の中央に形成されたカバー部１８とから構成されている。カバー部１８の中央部には、カメラ２の撮影視野を確保するための窓部１９が開口して設けられている。そして、基台部１７の下面の周縁部には、第２セレーション２０が環状に設けられている。なお、この第２セレーションは、本発明の第２係止部に相当する。一方、基台部１７の下端部の外周にはフランジ２１が外側に向けて突出して設けられている。また、基台部１７のフランジ２１の所定箇所には、アーチ状の３つの樹脂ばね部２２がそれぞれ１２０度おきに設けられている。なお、インナーカバー７の樹脂ばね部２２の位置は、ドームカバー６の切欠き部１６に対応した位置に設定されている。
【００２０】
上ケース４は円筒状をしている。上ケース４の内周面には、３つの係止リブ（係止突起）２３が内側に向けて突出して設けられている。この係止リブ（係止突起）２３は、本発明の係止片に相当する。この本実施の形態では、３つの係止リブ２３は、下ケース３の２段係止溝１２の位置に対応するように、それぞれ１２０度おきに設けられている。また、上ケース４の上端部の内周にはフランジ２４が内側に向けて突出して設けられている。そして、上ケース４の周面には、固定ねじ１３を挿通するためのねじ挿通孔２５が一つ設けられている。また、上ケース４の内周面には、３つのドーム係止リブ２６が内側に向けて突出して設けられている。
【００２１】
以上のように構成されたドーム型カメラ１の組立作業について説明する。
【００２２】
図２および図３には、本実施の形態のドーム型カメラ１の上ケース４の一部を切り欠いた斜視図が示される。図２および図３に示すようなドーム型カメラ１を組み立てるときには、まず、インナーカバー７の上にドームカバー６を取り付けて、カバー５を形成する。このとき、ドームカバー６のフランジ１５の下面は、インナーカバー７のフランジ２１の上面に当接する。このとき、インナーカバー７の樹脂ばね部２２とドームカバー６の切欠き部１６の位置を相互に合わせることにより、各樹脂ばね部２２は、ドームカバー６のフランジ１５に当接することなく、各切欠き部１６から露出した状態となっている（図２および図３参照）。
【００２３】
つぎに、上記のカバー５（ドームカバー６およびインナーカバー７）を上ケース４に取り付ける。このとき、ドームカバー６のフランジ１５とインナーカバー７のフランジ２１は、上ケース４のドーム係止リブ２６を乗り越えて係止した状態で取り付けられる。そのため、カバー５が上ケース４から容易に外れるのを防ぐことができる。
【００２４】
つぎに、カメラ２を取り付けた下ケース３に、上記のカバー５（ドームカバー６およびインナーカバー７）が取り付けられた上ケース４を取り付ける。本実施の形態では、下ケース３の第１セレーション９とインナーカバー７の第２セレーション２０とは、相互に対応する位置に形成されており、インナーカバー７を下ケース３に取り付けたときに、第１セレーション９と第２セレーション２０は相互に噛み合って係合する。また、このとき、カメラ２の撮影視野は、インナーカバー７の窓部１９を通して、カメラ２の画角の分だけ確保されている。
【００２５】
上記のカバー５が取り付けられた上ケース４を下ケース３に取り付けたとき、上ケース４の係止リブ２３は、下ケース３の２段係止溝１２に嵌め込まれる。本実施の形態では、上ケース４は、図２に示す調整位置と図３に示すロック位置の２段階の取付け位置で、下ケース３に対して取付け可能である。ここでは、上ケース４を下ケース３に向けて押し込んでから順方向（図２および図３における左方向）に回転させ、係止リブ２３を２段係止溝１２の１段目の係止段部１０に係止させると、上ケース４の取付け位置は調整位置になる。また、調整位置にある上ケース４を下ケース３に向けてさらに押し込んでから順方向に回転させ、係止リブ２３を２段係止溝１２の２段目の係止段部１１に係止させると、上ケース４の取付け位置はロック位置になる。
【００２６】
図２に示すように、上ケース４の取付け位置が調整位置のときには、下ケース３の第１セレーション９とインナーカバー７の第２セレーション２０とが完全には係合しておらず、不完全に係合している。すなわち、下ケース３の第１セレーション９とインナーカバー７の第２セレーション２０の先端部だけが浅く係合しただけの状態となる。この状態では、第１セレーション９と第２セレーション２０の係合力は弱く、その係合力よりも強い回転力をインナーカバー７に加えれば、インナーカバー７は下ケース３に対して自由に回転する。すなわち、下ケース３に対してインナーカバー７が回動自由である。なお、このとき、インナーカバー７の樹脂ばね部２２の上面は上ケース４のフランジ２４の下面に当接している。
【００２７】
本実施の形態では、インナーカバー７に係合力より大きい回転力を加えると、第２セレーション２０の山部は、第１セレーション９の山部を乗り越えながら、インナーカバー７が下ケース３に対して回転する。このとき、第２セレーション２０の山部は、第１セレーション９のひとつの山部を乗り越えるたびに、第１セレーション９の次の山部に当接して浅く係合する。したがって、第１セレーション９と第２セレーション２０との各係合位置において、インナーカバー７が下ケース３に対して多段階で位置決めされる。そのため、上記のように、インナーカバー７を下ケース３に対して回転させることにより、インナーカバー７の向きを多段階で調整することができる。
【００２８】
また、上ケース４の取付け位置が調整位置のときには、インナーカバー７の樹脂ばね部２２のばね付勢力によって、インナーカバー７が下ケース３に向けて付勢されている。したがって、ドーム型カメラ１が、施設の壁面や天井などに設置されている場合であっても、インナーカバー７は重力に抗してばね付勢力で下ケース３に押し付けられる。これにより、ドーム型カメラ１が横向きや上下逆向きに設置された場合であっても、下ケース３の第１セレーション９とインナーカバー７の第２セレーション２０とが浅く係合した状態とされる。また、上ケース４の取付け位置が調整位置のときには、上ケース４の係止リブ２３が下ケース３の２段係止溝１２の１段目の係止段部１０に係止しているので、ドーム型カメラ１が横向きや上下逆向きに設置された場合であっても、上ケース４が下ケース３から外れることが防止される。
【００２９】
例えば、図４には、上下逆向きに設置されたドーム型カメラ１の場合が例示されている。この状態では、樹脂ばね部２２のばね付勢力によって、下ケース３の第１セレーション９とインナーカバー９の第２セレーション２０とは弱い係合力で係合している。ここで、係合力とは、第１セレーション９と第２セレーション２０とが噛み合って、インナーカバー７が下ケース３に対して回転するのを防止する力である。図４の場合でも、上ケース４を下ケース３に対して回転させたときにインナーカバー７が上ケース４から受ける回転力に比べると、第１セレーション９と第２セレーション２０の係合力は十分に大きい。したがって、上ケース４を下ケース３に対して回転させたときに、インナーカバー７が上ケース４に伴って回転することが防止される。
【００３０】
図３に示すように、上ケース４の取付け位置がロック位置のときには、下ケース３の第１セレーション９とインナーカバー７の第２セレーション２０とが完全に係合している。すなわち、下ケース３の第１セレーション９とインナーカバー７の第２セレーション２０とが深く噛み合った状態となる。これにより、下ケース３に対してインナーカバー７が固定される。そして、固定ねじ１３をねじ挿通孔２５を介してねじ孔１４に螺着することにより、上ケース４と下ケース３は固定ねじ１３によって固定される。なお、このとき、上ケース４のフランジ２４の下面はドームカバー６のフランジ１５の上面に当接する。したがって、上記のように上ケース４を下ケース３に取り付けたときに、ドームカバー６のフランジ１５とインナーカバー７のフランジ２１は、上ケース４のフランジ２４の下面と下ケース３の上面により挟持された状態となる。
【００３１】
次に、上記のようなドーム型カメラ１について、インナーカバー７の向きの調整作業を行うときの動作を説明する。
【００３２】
本発明の実施の形態のドーム型カメラ１を設置した後、インナーカバー７の向きを調整するときには、まず、固定ねじ１３を取り外して、上ケース４と下ケース３の固定を解除する。つぎに、上ケース４を下ケース３に対して逆方向（図２および図３における右方向）に回転させて、上ケース４の係止リブ２３を下ケース３の２段係止溝１２の１段目の係止段部１０に係止させる。すなわち、上ケース４の取付け位置をロック位置から調整位置へと変更する。
【００３３】
上ケース４の取付け位置が調整位置のときには、下ケース３の第１セレーション９とインナーカバー７の第２セレーション２０とが完全には係合しておらず、不完全に浅く係合しただけの状態となる。この状態では、第１セレーション９と第２セレーション２０の係合力は弱く、その係合力よりも強い回転力をインナーカバー７に加えれば、インナーカバー７は下ケース３に対して自由に回転する。すなわち、下ケース３に対してインナーカバー７が回転自由である。したがって、インナーカバー７を下ケース３に対して回転させて、インナーカバー７の向きをカメラ２の撮影方向に合わせることができる。
【００３４】
上記のようにして、インナーカバー７の向きの調整が完了した後は、もう一度、上ケース４を下ケース３に向けて押し込んで順方向に回転させて、上ケース４の係止リブ２３を下ケース３の２段係止溝１２の２段目の係止段部１１に係止させる。すなわち、上ケース４の取付け位置を調整位置からロック位置へと変更する。本実施の形態では、上ケース４の取付け位置が調整位置のときに、下ケース３の第１セレーション９とインナーカバー７の第２セレーション２０とが浅く係合している。したがって、上ケース４の取付け位置を調整位置からロック位置へ変えようとして、上ケース４を下ケース３に対して回転させたときに、インナーカバー７が上ケース４に伴って回転することが防止されている。そして、最後に、固定ねじ１３を締め付けて上ケース４と下ケース３を固定する。
【００３５】
このような発明の実施の形態のドーム型カメラ１によれば、上ケース４の下ケース３に対する取付け位置として、調整位置とロック位置の２段階の取付け位置を設けることにより、上ケース４を下ケース３に取り付けて、ドームカバー６とインナーカバー７を取り付けた後であっても、インナーカバー７の向きを容易に調節することができ、ドーム型カメラ１の設置作業やインナーカバー７の向きの調整作業の作業性が向上する。
【００３６】
すなわち、本実施の形態では、上ケース４の取付け位置を調整位置にしたときには、下ケース３の第１セレーション９とインナーカバー７の第２セレーション２０が完全には係合しておらず、インナーカバー７を下ケース３に対して自由に回転させて、インナーカバー７の向きを容易に調節することができる。これにより、上ケース４を下ケース３に取り付けて、ドームカバー６とインナーカバー７を取り付けた後であっても、インナーカバー７の窓部１９の向きをカメラ２の撮影方向に容易に合わせることができる。そして、インナーカバー７の向きの調整を行った後、上ケース４の取付け位置をロック位置にすることにより、下ケース３の第１セレーション９とインナーカバー７の第２セレーション２０が完全に係合して、下ケース３に対してインナーカバーを容易に固定することができる。
【００３７】
例えば、本実施の形態では、一旦、上ケース４を下ケース３に取り付けて、ドームカバー６とインナーカバー７を取り付けた後で、インナーカバー７の窓部１９の向きをカメラ２の撮影方向に合わせなおす必要が生じた場合（例えば、作業者が目盛りを読み間違えた場合や、地震や悪戯などの外力によりインナーカバー７の向きが変えられてしまった場合）であっても、インナーカバー７の向きを容易に再調整することができる。
【００３８】
また、本実施の形態では、上ケース４の係止リブ２３を下ケース３の１段目の係止段部１０に係止したときには、上ケース４の取付け位置は調節位置となる。すなわち、下ケース３の第１セレーション９とインナーカバー７の第２セレーション２０が完全には係合しておらず、インナーカバー７を下ケース３に対して自由に回転させて、インナーカバー７の向きを容易に調節することができる。これにより、カバー５（ドームカバー６およびインナーカバー７）を取り付けた後であっても、インナーカバー７の窓部１９の向きをカメラ２の撮影方向に容易に合わせることができる。そして、インナーカバー７の向きの調整を行った後、上ケース４の係止リブ２３を下ケース３の２段目の係止段部１１に係止したときには、上ケース４の取付け位置はロック位置となる。これにより、下ケース３の第１セレーション９とインナーカバー７の第２セレーション２０が完全に係合して、下ケース３に対してインナーカバー７を容易に固定することができる。
【００３９】
また、本実施の形態では、上ケース４の取付け位置を調整位置にしたときに、下ケース３の第１セレーション９とインナーカバー７の第２セレーション２０とが樹脂ばね部２２のばね付勢力によって浅く不完全に係合する。これにより、上ケース４の取付け位置を調整位置からロック位置にする際、上ケース４を下ケース３に対して回転させるときに、インナーカバー７が上ケース４に伴って回転することが防止される。したがって、上ケース４の取付け位置を調整位置からロック位置にするときに、調整位置で調整したインナーカバー７の窓部１９の向きが、カメラ２の撮影方向からずれるのが抑えられる。
【００４０】
この場合、インナーカバー７の樹脂ばね部２２のばね付勢力によって、インナーカバー７は下ケース３に向けて付勢されている。したがって、ドーム型カメラ１が、施設の壁面や天井などに設置されている場合であっても、インナーカバー７は重力に抗して下ケース３に押し付けられる。これにより、ドーム型カメラ１が横向きや上下逆向きに設置された場合であっても、図４に示すように、下ケース３の第１セレーション９とインナーカバー７の第２セレーション２０とが浅く係合した状態となり、上ケース４を下ケース３に対して回転させたときに、インナーカバー７が上ケース４に伴って回転することが防止される。
【００４１】
また、本実施の形態では、上ケース４の取付け位置をロック位置にした後、固定ねじ１３を用いて上ケース４と下ケース３を固定する。これにより、上ケース４の取付け位置がロック位置で固定され、その結果、インナーカバー７の回転も防止される。したがって、地震や悪戯などの外力によってインナーカバー７の向きが変えられてしまうのを防止することができる。
【００４２】
以上、本発明の実施の形態を例示により説明したが、本発明の範囲はこれらに限定されるものではなく、請求項に記載された範囲内において目的に応じて変更・変形することが可能である。
【００４３】
例えば、以上の説明では、下ケース３に第１セレーション９が設けられ、インナーカバー７に第２セレーション２０が設けられて、第１セレーション９と第２セレーション２０が噛み合って係合する例について説明したが、本発明の範囲はこれに限定されるものではない。上記の実施の形態のほかに、下ケース３に第１摩擦部が設けられ、カバー５に第２摩擦部が設けられて、第１摩擦部と第２摩擦部が摩擦係合するものであってもよい。この場合、下ケース３に対するカバー５の位置を無段階に調節することができる。すなわち、本発明の係合には、噛み合い係合のほかに摩擦係合も含まれる。
【００４４】
また、以上の説明では、上ケース４に係止リブ２３が設けられ、下ケース３に２段係止溝１２が設けられて、係止リブ２３を２段係止溝１２に嵌め込んで、１段目または２段目の係止段部１０、１１に係止させることにより、上ケース４の調整位置とロック位置を実現する例について説明した。本発明の範囲はこれに限定されるものではなく、例えば、上ケース４の内周面にねじ溝が設けられ、下ケース３の外周面のねじ部が設けられて、上ケース４を下ケース３に螺着する構成であってもよい。この場合、上ケース４を下ケース３に締め付けたときに、上ケース４の取付け位置がロック位置とされ、上ケース４の締め付けを少し緩めたときに、上ケース４の取付け位置が調整位置とされる。
【００４５】
また、以上の説明では、インナーカバー７のフランジ２１に樹脂ばね部２２が設けられた例について説明したが、本発明の範囲はこれに限定されるものではなく、カバー５に設けられる弾性部は、カバー５を下ケース３に向けて付勢する付勢力があれば、例えばゴム製クッション部などであってもよい。
【００４６】
また、以上の説明では、カバー５は、ドームカバー６とインナーカバー７という二つのカバー部材から構成されている例について説明したが、本発明の範囲はこれに限定されるものではなく、カバー５は、一つのカバー部材で構成されていてもよく、三つ以上のカバー部材で構成されていてもよい。
【産業上の利用可能性】
【００４７】
以上のように、本発明にかかるドーム型カメラは、例えば、施設の壁や天井に設置される監視用のドーム型カメラ等として用いられ、カバーを取り付けた後であっても、カバーの向きを容易に調節することができるという効果を有し、設置作業や調整作業の作業性を向上したドーム型カメラ等として有用である。
【図面の簡単な説明】
【００４８】
【図１】本発明の実施の形態におけるドーム型カメラの分解斜視図
【図２】本発明の実施の形態におけるドーム型カメラ（調整位置）の一部切欠き斜視図
【図３】本発明の実施の形態におけるドーム型カメラ（ロック位置）の一部切欠き斜視図
【図４】本発明の実施の形態において、上下逆向きに設置されたドーム型カメラ（調整位置）の樹脂ばね部によるばね付勢の様子を説明するための正面図
【符号の説明】
【００４９】
１  ドーム型カメラ
２  カメラ
３  下ケース
４  上ケース
５  カバー
６  ドームカバー
７  インナーカバー
９  第１セレーション
１０  １段目の係止段部
１１  ２段目の係止段部
１２  ２段係止溝
１３  固定ねじ
１９  窓部
２０  第２セレーション
２２  樹脂ばね部
２３  係止リブ
２６  ドーム係止リブ
【図１】
2007110484.tif 000003
【図２】
2007110484.tif 000004
【図３】
2007110484.tif 000005
【図４】
2007110484.tif 000006